(57)【特許請求の範囲】
【請求項１】
土石と土質改良剤とを解砕混合する解砕機を備えた土質改良機のベルトコンベヤであって、
ベルトコンベヤ(8)の張りを調整するとともに、回転を円滑に誘導するアイドラ(9)を支持し、かつ、張り調整により前記アイドラ(9)と共に移動する支持体(9a)と、
前記支持体(9a)と一体的に形成され、前記アイドラ(9)に付着する土石及び粒子の細かい土を除去するクリーナ(9c)と、
前記支持体(9a)と一体的に形成され、かつ、クリーナ(9c)によりアイドラ(9)から除去される土石及び粒子の細かい土をベルトコンベヤ(8)に落下しないように前記ベルトコンベヤ(8)の幅方向の両側に排出する滑り台(9d)とを備えた
ことを特徴とする土質改良機のベルトコンベヤ。
【発明の詳細な説明】
【０００１】
【発明の属する技術分野】
本発明は、埋め立て作業や一般土木作業等における軟弱な土および都市土木作業の上下水道やガス管埋設工事等で掘削された粘性のある土の再生利用するために土質改良を行う土質改良機のベルトコンベヤに関する。
【０００２】
【従来の技術】
現在、土木建築等の多くの構造物は、土地利用の制約から埋め立て地などの軟弱地盤や土石等などが混合した土地での建設が避けられない状況にあり、土地造成にあたっては、従来から土石と土質改良剤とを解砕混合する土質改良機が利用されている。定置式の土質改良機の先行特許として、例えば特開昭５４−５８９０１号公報があり、自走式の土質改良機の先行特許として、出願人が出願した特開平９−１９５２６５号公報がある。
【０００３】
【発明が解決しようとする課題】
しかしながら、従来の土質改良機では土石と土質改良剤とを解砕混合した改良土をベルトコンベヤから搬出される土石や粒子の細かい土等が、ベルトコンベヤや、ベルトコンベヤの回転を円滑にするためのアイドラやローラに付着する。
このため、ベルトコンベヤが円滑に回転できず蛇行するので、改良土をスムーズに搬出できない。また、ベルトコンベヤが早期に損傷して耐久性が低下するという問題がある。
【０００４】
上記の問題を解決するために、例えば、日本通商株式会社製「商品名ベルバーンＨ型」のカタログに示されるような、クリーナを用いている。このクリーナは、土を掻き落とすチップを支える支持体にスプリングやゴムなどの弾性体を用いており、その反発力を利用する押圧式である。この場合、ベルトコンベヤに付着する柔らかい土を掻き落とすことには有効であつても土石などの硬いものでは、土を掻き落とすチップが逃げてしまい、十分な掻き落としができないという問題がある。
【０００５】
本発明は上記従来の問題点に着目して、ベルトコンベヤ、アイドラ及びローラに付着する土石や粒子の細かい土を除去することにより、ベルトコンベヤの蛇行を防止し、解砕混合された改良土をスムーズに搬出して作業効率を向上及びベルトコンベヤの耐久性を向上する土質改良機の搬出用ベルトコンベヤを提供することを目的とする。
【０００６】
【課題を解決するための手段および作用効果】
上記の目的を達成するために、本発明に係る土質改良機のベルトコンベヤは、土石と土質改良剤とを解砕混合する解砕機を備えた土質改良機のベルトコンベヤであって、ベルトコンベヤの張りを調整するとともに、回転を円滑に誘導するアイドラを支持し、かつ、張り調整により前記アイドラと共に移動する支持体と、前記支持体と一体的に形成され、前記アイドラに付着する土石及び粒子の細かい土を除去するクリーナと、前記支持体と一体的に形成され、かつ、クリーナによりアイドラから除去される土石及び粒子の細かい土をベルトコンベヤに落下しないように前記ベルトコンベアの幅方向の両側に排出する滑り台とを備えたことを特徴とする。
上記構成によれば、アイドラに付着する土石などを除去するクリーナは、アイドラの支持体と一体的に構成したので、ベルトコンベヤの張りが弛んでも、張り調整しても、あるいは、ベルトコンベヤの蛇行があってもアイドラとクリーナの位置関係は絶えず一定であり、確実土石などを除去することができる。したがって、アイドラに付着する土石などを確実に除去できるので、ベルトコンベヤが蛇行する問題はなくなる。
また、支持体と滑り台を一体的に構成し、クリーナで除去した土石などは全て滑り台に落下させるようにしたので、この滑り台の所定の勾配により、土石などは確実に地上に落ちるようになり、したがって、ベルトコンベヤに土石などが落下することが防止され、ベルトコンベヤが蛇行する問題はなくなる。
【０００７】
本発明では、解砕機で解砕混合された土石と土質改良剤の搬出用ベルトコンベヤに付着した土石を除去する第1クリーナと、ベルトコンベヤに付着した粒子の細かい土を除去する第2クリーナとを備えることが好ましい。
上記構成によれば、土石は第1クリーナにより除去し、粒子の細かい土を第2クリーナにより除去できる。したがって、ベルトコンベヤに付着する土石等が確実に除去するので、ローラにも土の付着がなくなりベルトコンベヤの蛇行を防止し、耐久性が向上する。
また、第1クリーナはチップを支持する鉄片とからなる固定式で、第2クリーナはチップを支持する弾性体とからなる揺動式であることが好ましい。
上記構成によれば、第1クリーナはチップを支持する鉄片とからなる固定式の強固なものとしたので、土石などの硬いものでも十分除去することができる。第２クリーナはチップを支持するゴムやスプリングなどの弾性体とからなる揺動式（押圧式）としたので、粒子の細かい土でも弾性体の反発力を利用してチップで確実に土を除去することができる。したがって、ベルトコンベヤに付着する土石等を確実に除去できるので、ベルトコンベヤの蛇行を防止し、耐久性が向上する。
【０００８】
本発明において、ベルトコンベヤに付着した土石を最初に除去する第1クリーナと、この第1クリーナから通過したベルトコンベヤに付着した粒子の細かい土を除去する第2クリーナとを配設することが好ましい。
上記構成は、第1クリーナと第2クリーナの配置を特徴としており、ベルトコンベヤで搬出される土石などは、最初に第１クリーナで除去され、第１クリーナで除去できなかった粒子の細かい土は第２クリーナで除去することができる。したがって、ベルトコンベヤに付着する土石等が確実に除去するので、ローラにも土の付着がなくなりベルトコンベヤの蛇行を防止し、耐久性が向上する。
【００１２】
【発明の実施の形態】
以下に、本発明に係る土質改良機のベルトコンベヤを図１乃至図４を参照して説明する。
先ず、図１に示す土質改良機１の側面断面図について説明する。下部走行体２の上部に車体３が配設している。車体３の前方には土石などを図示しない油圧ショベル等の建設機械で投入する第１ホッパ４を配設している。第１ホッパ４の後方には土質改良剤を投入する第２ホッパ５を配設している。第１ホッパ４及び第２ホッパ５の下側には搬送用ベルトコンベヤ６が配設している。
この搬送用ベルトコンベヤ６の後方には解砕混合機７（以下、解砕機７と言う。）を配設している。
この解砕機７の下側には搬出用ベルトコンベヤ８（以下、ベルトコンベヤ８と言う。）を配設している。ベルトコンベヤ８は複数のローラ８ａおよびアイドラ９によりスムーズに誘導され、図示しないモータが内蔵された駆動輪１０の駆動により回転駆動することができる。このベルトコンベヤ８には、図示しないシュータにより覆われており、解砕機７で解砕混合された改良土は、ベルトコンベヤ８に落下して、土質改良機１の外に搬出している。
【００１３】
次に、図１のＰ部詳細を図２により説明する。
ベルトコンベヤ８はアイドラ９に巻装されている。アイドラ９は軸９Ａ、軸のサポート９ｂおよび支持体９ａにより支持されて回転自在となっている。軸のサポート９ｂは、車体３に取り付けられたサポートブラケット９ｇに設けられた調整ボルト９ｆのネジ部が挿入され、この調整ボルト９ｆを回転してベルトコンベア８の張り調整を行うようになっている。調整ボルト９ｆはベルトコンベア８の幅方向の両側に２本設けられている。この支持体９ａ、土石の滑り台９ｄおよびクリーナ９ｃは一体的に形成されている。
これにより、ベルトコンベヤ８の張りが弛む、あるいは張り調整時でも、あるいは土石などによりベルトコンベヤ８が蛇行しても支持体９ａ、土石の滑り台９ｄおよびクリーナ９ｃは、絶えず一定の関係位置にある。アイドラ９の端面とクリーナ９ｃとの隙間Ｓ1は所定の隙間を保持するようになっている。軸９Ａには図示しないグリース給脂装置からグリース給脂管を通って給脂されようになっている。
【００１４】
図２のＺ視を図３により説明する。
滑り台９ｄは所定の勾配が付けられており、矢印Ａおよび矢印Ｂ方向に土石が排出するようになっている。
これにより、クリーナ９ｃで除去したアイドラ９に付着した土石などは確実に滑り台９ｄから土質改良機１の外に排出され、ベルトコンベヤ８の上には落下しないようになっている。
【００１５】
図１のＱ部詳細を図４により説明する。
ベルトコンベヤ８は、駆動輪（モータ内臓）１０およびローラ８ａ巻装しており、シュータ１１により覆われて配設している。図１に示す解砕機７で解砕混合してベルトコンベヤ８に搬出される改良土（土質改良剤と土石などの混合土）は、駆動輪１０の回転方向Ｃによりベルトコンベヤ８が時計周りで搬出され、この矢印Ｒ方向に排出するようになっている。このベルトコンベヤ８に所定の隙間離間して第１クリーナ１２および第２クリーナ１３が配設している。第１クリーナ１２は、鉄片１２ａに取着したチップ１２ｂからなり固定式である。第２クリーナ１３は、ゴム又はスプリングなどの弾性体１３ａに取着したチップ１３ｂからなる揺動式（押圧式）である。ベルトコンベヤ８に付着したままで矢印Ｒ方向に排出できない改良土は、最初に第１クリーナ１２により除去し、第1クリーナ１２
通過した粒子の細かい改良土は、第２クリーナ１３により確実に除去される。
これにより、ベルトコンベヤ８から改良土が確実に除去されるので、ローラ８ａに付着しない。第１クリーナ１２及び第２クリーナ１３のそれぞれのチップ１２ｂ，１３ｂは図示しない調整機構により、ベルトコンベヤ８との隙間を調整することが可能となっている。
【００１６】
以上説明した本発明の土質改良機のベルトコンベヤによれば、
解砕機７で解砕混合された土石と土質改良剤の搬出用ベルトコンベヤ８に付着した土石の除去用チップ１２ｂ を支持する鉄片１２ａとからなる固定式の第1クリーナ１２を配設したことを特徴としている。
また、第1クリーナ１２の次の位置に、第1クリーナ１２を通過した粒子の細かい土の除去用チップ１３ｂを支持するゴムあるいはスプリング等の弾性体１３ａとからなる揺動式の第2クリーナ１３を配設したことを特徴としている。
さらに、ベルトコンベヤ８の回転を円滑に誘導するアイドラ９を支持する支持体９ａと一体的に形成され、かつ、アイドラ９に付着する土石及び粒子の細かい土を除去するクリーナ９ｃを配設したことを特徴としている。
さらにまた、支持体９ａと一体的に形成され、かつ、クリーナ９ｃによりアイドラ９から除去される土石及び粒子の細かい土をベルトコンベヤ８に落下しないように配設した滑り台９ｄを備えたことを特徴としている。
これらの４つ特徴点により、ベルトコンベヤ、アイドラ及びローラに土石などが付着してベルトコンベヤの蛇行が防止し、改良土の搬出をスムーズに行うことができる。さらに、ベルトコンベヤは土石などによる損傷が防止されるので、耐久性が向上する。
【図面の簡単な説明】
【図１】土質改良機のベルトコンベヤ側面断面図である。
【図２】同、図１のＰ部詳細図である。
【図３】同、図２のＺ視図である。
【図４】同、図１のＱ部詳細図である。
【符号の説明】
１…土質改良機、７…解砕混合機、８…搬出用ベルトコンベヤ、８ａ…ローラ、９…アイドラ、９Ａ…軸、９ａ…支持体、９ｂ…軸のサポート、９ｃ…クリーナ、９ｄ…滑り台、１０…駆動輪、１１…シュータ、１２…第１クリーナ、１２ａ…鉄片、１２ｂ…チップ、１３…第２クリーナ、１３ａ…弾性体、１３ｂ…チップ。
【図１】
0004445142.tif 000002
【図２】
0004445142.tif 000003
【図３】
0004445142.tif 000004
【図４】
0004445142.tif 000005